(57)【特許請求の範囲】
【請求項１】
構築中の建物を覆うように設けられて、工事進捗に伴って漸次上方へ盛り替えられる仮設養生体であって、
該仮設養生体は、前記建物上部の施工現場の少なくとも側面を覆う養生体本体と、
該養生体本体を建物に支持させる支持部材と、
該養生体本体を上方に盛り替えていくための盛替手段とを具備してなり、
前記養生体本体が、定められた大きさを有した複数枚のパネルユニットを組み合わせることによって構成されているとともに、
前記各パネルユニットが、足場用パイプ等の仮設材によって構成され、
かつ、前記養生体本体を構成する複数枚の前記パネルユニットどうしが互いに隣接する部分には、互いに隣接する一方の前記パネルユニットの側端部に上下方向に延在するガイドレールが設けられているとともに、他方の前記パネルユニットの側端部には前記ガイドレールに沿った方向にのみ移動自在とされたスライド部材が設けられて、これら互いに隣接する二枚のパネルユニットが上下方向に相対移動可能に連結され、
前記支持部材が、水平面内において回転自在な状態で一端側が前記養生体本体に折り畳み可能に連結されるとともに、他端側が前記養生体本体側から前記建物側に向けて延出して、前記建物に着脱自在に固定される構成とされ、
かつ、該支持部材の他端側には、前記建物に形成された上方に立ち上がる立ち上がり部の上端部に固定される固定用金物が備えられ、
前記固定用金物は、前記立ち上がり部の上面および両側面に沿って位置するフレームに、前記立ち上がり部の上面に当接する押さえボルトと、前記立ち上がり部の側面に当接する側部当接部材と、該側部当接部材と相対向する位置に配設されて前記側部当接部材側に向けて進退する締付部材とが設けられた構成とされ、前記側部当接部材が前記フレームに揺動自在に取り付けられ、前記押さえボルトが、前記フレームに一体に溶接されたナットと、このナットに螺合したボルト部材と、ボルト部材の先端部に揺動可能に設けられた支圧プレートとから構成されていることを特徴とする仮設養生体。
【請求項２】
請求項１に記載の仮設養生体であって、
前記盛替手段が、前記構築中の建物上で水平移動自在な台車に、一方向に延びるアームが備えられるとともに、該アームの先端部には前記仮設養生体を吊り上げるホイスト機構が備えられた構成となっていることを特徴とする仮設養生体。
【請求項３】
請求項１に記載の仮設養生体であって、
前記盛替手段が、前記固定用金物と前記パネルユニットとの間に介装されて該パネルユニットを吊り上げるホイスト機構により構成されていることを特徴とする仮設養生体。
【請求項４】
請求項１〜３のいずれかに記載の仮設養生体であって、
前記支持部材が、鉛直方向に延在して前記パネルユニットの鉛直フレームに対して水平面内において回転自在に連結された基部と、該基部から水平方向に延出する延出部と、該延出部を補強する補強材とからなる略Ｌ字状とされていることを特徴とする仮設養生体。
【請求項５】
請求項１〜３のいずれかに記載の仮設養生体であって、
前記支持部材が、鉛直方向に延在して前記パネルユニットの鉛直フレームに対して水平面内において回転自在に連結された基部と、該基部の下端部から水平方向に延出する延出部と、前記基部の上端部と前記延出部の先端部との間に斜めに架設されて延出部を補強する補強材とからなる三角形状とされていることを特徴とする仮設養生体。
【請求項６】
請求項１〜５のいずれかに記載の仮設養生体を用いた建物の施工方法であって、
前記仮設養生体を、前記支持部材で前記建物に支持させ、その内側で前記建物を下方から上方に向けて構築していき、建物の施工の進捗にともなって前記養生体本体を上方に盛り替えるときには、前記養生体本体を構成している前記パネルユニットを一枚ずつ上方に盛り替えていき、前記各パネルユニットを盛り替えるには、前記盛替手段で一枚の前記パネルユニットの荷重を支持した後に、該パネルユニットに備えられた前記支持部材を水平面内において回転させて養生体本体側に折り畳み、次いで前記盛替手段で前記パネルユニットを上方に吊り上げ、しかる後に前記支持部材を水平面内において回転させてその先端部に設けた固定用金物を建物に対して係合させることにより該パネルユニットを前記建物に支持させることを特徴とする建物の施工方法。
【発明の詳細な説明】
【０００１】
【発明の属する技術分野】
本発明は、ビル等を構築するときに用いて好適な仮設養生体およびそれを用いた建物の施工方法に関するものである。
【０００２】
【従来の技術】
周知のように、ビル等の建物を施工するに際しては、その外周部に作業足場を確保するために仮設養生体が設けられることが通常である。仮設養生体は、作業足場の確保以外にも、落下養生や外部への塵埃の飛散防止、防音等を目的として建物全体を覆うシート等の遮蔽体の取付、等のためにも利用されるものである。
【０００３】
従来一般の仮設養生体は、いわゆる枠組足場を用いて地上より立設する形態のものが最も一般的であるが、これではビル等を構築する場合には足場の組立・解体に多大な手間とコストがかかる。このため、仮設養生体を地上ではなく施工中の建物に支持させて設置し、施工の進捗にともなって仮設養生体全体を順次上方へ盛り替えていくという工法も用いられつつある。
【０００４】
【発明が解決しようとする課題】
ところで上述したような従来の仮設養生体およびそれを用いた施工方法には、以下のような問題が存在する。
すなわち、ビル等の建物を構築するに際して用いる仮設養生体は、これを上方に盛り替えるために、各階において仮設養生体の組立・解体を繰り返していたのでは、言うまでもなく多大な手間が掛かり、工期長期化およびコスト上昇を招くという問題がある。
【０００５】
このため、自ら上方に昇るためのクライミング機能を備えた複数本の支柱（いわゆるマスト）を施工中の建物上に立て、仮設養生体をこれら支柱上で支持することにより、仮設養生体自体にクライミング機能を備えさせる方法が採用されている。しかし、この方法でも、仮設養生体全体が非常に大型で大重量なものとなるばかりか、システムとしてのコストが非常に高くなってしまうという問題がある。
【０００６】
また、他の方法として、仮設養生体をクレーンで吊り上げて盛り替える方法もあるが、この方法においても、仮設養生体を躯体に固定したり取り外したりするのに手間とコストがかかるという問題がある。しかも、仮設養生体の盛替中には、クレーンによる資材搬送作業等が行えず、工事が中断されて工期長期化を招く原因となる。しかも仮設養生体を吊り上げている間は横風が大きく影響するため、強風時等には盛替作業を行えないという問題もある。
【０００７】
これ以外にも、仮設養生体を建物に支持させるには、例えば建物の側面にアンカー部材等を取り付ける方法があるが、これではアンカー部材の取付・撤去を建物の外側において行わなければならず、余分な手間が掛かるという問題がある。
【０００８】
また、仮設養生体を建物に支持させる他の方法として、図１１（ａ）に示すように、仮設養生体１に、建物Ｂに向けて延出する支持部材３等を設け、支持部材３の先端部を建物Ｂのバルコニー４に固定する方法もある。しかし、図１１（ｂ）に示すように、この方法においては、仮設養生体１をクレーンやホイスト５等で吊り上げるときに、支持部材３がバルコニー４に干渉してしまうため、支持部材３を一旦取り外したり、あるいは支持部材３がバルコニー４に干渉しないよう仮設養生体１を回避させて上昇させなければならず、いずれも手間が掛かるものとなっていた。
【０００９】
さらに、従来より前記支持部材３等で仮設養生体１を建物Ｂに支持させるときには、建物Ｂのバルコニー４の立ち上がり部４ａを利用して支持部材３を固定していたが、立ち上がり部４ａの上面や側面は必ずしも水平面・垂直面ではなく、そのような場合には支持部材３を確実に建物Ｂ側に固定することが困難であった。また立ち上がり部４ａの表面にタイル等が張られている場合には、支持部材３を固定するときに傷を付ける可能性があるため、その部分だけタイル等を後施工しなければならない等の面倒もあった。
【００１０】
本発明は、以上のような点を考慮してなされたもので、容易かつ確実に盛替作業を行うことのできる仮設養生体およびそれを用いた建物の施工方法を提供することを課題とする。
【００１１】
【課題を解決するための手段】
請求項１に係る発明は、構築中の建物を覆うように設けられて、工事進捗に伴って漸次上方へ盛り替えられる仮設養生体であって、該仮設養生体は、前記建物上部の施工現場の少なくとも側面を覆う養生体本体と、該養生体本体を建物に支持させる支持部材とを具備してなり、前記養生体本体が、定められた大きさを有した複数枚のパネルユニットを組み合わせることによって構成されていることを特徴としている。
【００１２】
このようにして複数枚のパネルユニットで養生体本体を構成することにより、仮設養生体の盛替時にはパネルユニットを一枚ずつ盛り替えればよい。
【００１３】
また、前記各パネルユニットが、足場用パイプ等の仮設材によって構成されていることを特徴としている。
【００１４】
このようにして足場用パイプ等の仮設材を用いることにより、パネルユニットの大きさを自由に設定することが容易である。また、各パネルユニットを非常に低コストで製作できる。
【００１５】
また、前記養生体本体を構成する複数枚の前記パネルユニットが互いに隣接する部分には、互いに隣接する一方の前記パネルユニットの側端部に上下方向に延在するガイドレールが設けられ、他方の前記パネルユニットの側端部に前記ガイドレールに沿った方向にのみ移動自在とされたスライド部材が設けられて、これら互いに隣接する二枚のパネルユニットが上下方向に相対移動可能に連結されていることを特徴としている。
【００１６】
これにより、各パネルユニットを上方に盛り替えるときには、当該パネルユニットが、隣接するパネルユニットにガイドレールとスライド部材とを介して上下方向に相対移動可能に連結されているため、隣接するパネルユニットにガイドされて上方に移動されることとなる。
【００１７】
また、前記支持部材は、水平面内において回転自在な状態で、一端側が前記養生体本体に折り畳み可能に連結されるとともに、他端側が前記養生体本体側から前記建物側に向けて延出して、前記建物に着脱自在に固定される構成となっていることを特徴としている。
【００１８】
これにより、養生体本体を上方に盛り替えるときに支持部材を水平回転させて養生体本体側に折り畳めば、建物側の突起物等との干渉を避けることができる。
【００１９】
また、支持部材の他端側には、建物に形成された上方に立ち上がる立ち上がり部の上端部に固定される固定用金物が備えられていることを特徴とする。
これにより、養生体本体を立ち上がり部に対して支持部材および固定用金物を介して安定に支持固定することができる。
【００２０】
しかも、前記固定用金物は、前記立ち上がり部の上面および両側面に沿って位置するフレームに、前記立ち上がり部の上面に当接する押さえボルトと、前記立ち上がり部の側面に当接する側部当接部材と、該側部当接部材と相対向する位置に配設されて前記側部当接部材側に向けて進退する締付部材とが設けられた構成とされ、前記側部当接部材が前記フレームに揺動自在に取り付けられ、前記押さえボルトが、前記フレームに一体に溶接されたナットと、このナットに螺合したボルト部材と、ボルト部材の先端部に揺動可能に設けられた支圧プレートとから構成されていることを特徴としている。
このような固定金物によれば、各階の立ち上がり部のレベル誤差等がある場合にも、立ち上がり部のレベルに応じて押さえボルトを調整することによって、固定用金物を確実にセットすることができる。
【００２１】
請求項２に係る発明は、前記盛替手段が、前記構築中の建物上で水平移動自在な台車に、一方向に延びるアームが備えられるとともに、該アームの先端部には、前記仮設養生体を吊り上げるホイスト機構が備えられた構成となっていることを特徴としている。
【００２２】
これにより、仮設養生体自体に盛替手段を備える必要がなく、また資材搬送用のクレーン等を利用する必要もない。また台車を移動させることによって、例えば養生体本体が複数枚のパネルユニットから構成される場合等には、最小限の台数の盛替手段で養生体本体の盛替作業を行うことができる。
請求項３に係る発明は、前記盛替手段が、前記固定用金物と前記パネルユニットとの間に介装されて該パネルユニットを吊り上げるホイスト機構により構成されていることを特徴としている。
このような盛替手段によっても各パネルユニットの盛替作業を行うことが可能である。
請求項４に係る発明は、前記支持部材が、鉛直方向に延在して前記パネルユニットの鉛直フレームに対して水平面内において回転自在に連結された基部と、該基部から水平方向に延出する延出部と、該延出部を補強する補強材とからなる略Ｌ字状とされていることを特徴としている。
これにより、支持部材を簡単な構成でパネルユニットに対して水平面内において回転させて折り畳むことができる。
請求項５に係る発明は、前記支持部材が、鉛直方向に延在して前記パネルユニットの鉛直フレームに対して水平面内において回転自在に連結された基部と、該基部の下端部から水平方向に延出する延出部と、前記基部の上端部と前記延出部の先端部との間に斜めに架設されて延出部を補強する補強材とからなる三角形状とされていることを特徴としている。
これにより、支持部材の強度を大幅に高めて仮設養生体を建物から離す必要がある場合等に好適に用いることができる。
【００２３】
請求項６に係る発明は、請求項１〜５のいずれかに記載の仮設養生体を用いた建物の施工方法であって、前記仮設養生体を、前記支持部材で前記建物に支持させ、その内側で前記建物を下方から上方に向けて構築していき、建物の施工の進捗にともなって前記養生体本体を上方に盛り替えるときには、前記養生体本体を構成する前記パネルユニットを一枚ずつ上方に盛り替えていく構成とし、前記各パネルユニットを盛り替えるには、盛替手段で一枚の前記パネルユニットの荷重を支持した後に、該パネルユニットに備えられた前記支持部材を水平面内において回転させて養生体本体側に折り畳み、次いで前記盛替手段で前記パネルユニットを上方に吊り上げ、しかる後に前記支持部材を伸ばして該パネルユニットを前記建物に支持させることを特徴としている。
【００２４】
このようにして、パネルユニットを一枚ずつ上方に盛り替えることによって、横風等の影響を避けることができる。また、盛替手段も小型のもので済む。さらに、支持部材を水平面内において回転させて養生体本体側に折り畳むことによって、建物側の突起物等との干渉を避けることができる。
【００２５】
【発明の実施の形態】
以下、本発明に係る仮設養生体およびそれを用いた建物の施工方法の実施の形態の一例を、図１ないし図８を参照して説明する。
なお、本発明の仮設養生体における固定用金物の詳細については、固定用金物３２’として後述（段落００６１および図９参照）するが、以下の実施の形態においては、それとはやや構成の異なる固定用金物３２を参考例としてその基本構成および機能について説明する。
これらの図において、符号Ｂは構築すべき建物、１０は建物Ｂを施工するに際して用いる仮設養生体、をそれぞれ示している。
【００２６】
図１および図２に示すように、仮設養生体１０は、施工中の建物Ｂ（図２参照）の上部施工階の側面を覆う養生体本体１１を主体構成としている。
図１に示したように、養生体本体１１は、上下方向に所定長を有した略長方形のパネルユニット１２を横方向に複数枚連結することによって構成されている。
【００２７】
各パネルユニット１２は、等間隔毎に上下方向に延在するよう配置された鉛直フレーム１３，１３，…と、水平方向に延在するよう配置されてこれら鉛直フレーム１３，１３，…に交差する水平フレーム１４，１４，…と、これら鉛直フレーム１３および水平フレーム１４間に架設された補強用のブレース材１５，１５，…とから構成されている。
【００２８】
これら鉛直フレーム１３，水平フレーム１４，ブレース材１５には、足場用の単管パイプ等の仮設材Ｋが用いられ、これらが互いに交差して連結される部分では、単管パイプ用のクランプ金具Ｃが用いられている。
【００２９】
また、鉛直フレーム１３，１３，…のうち、両側端部に位置するものを除いた他のものには、これに沿って、上下方向に延在する角パイプからなる補強材１６が配設されている。この補強材１６は、これに交差する水平フレーム１４にクランプ金具Ｃにより連結されている。そして、二本の補強材１６，１６が上下に連結される部分には角パイプからなる連結部補強材１７が一体に設けられている。
【００３０】
図２に示したように、このような各パネルユニット１２には、建物Ｂの側面に面する側の所定位置に、足場取付用のブラケット１８と、このブラケット１８上に掛け渡された足場板１９とが設けられている。
【００３１】
また、各パネルユニット１２の、建物Ｂに面する側の反対面側には、メッシュシートや養生シートＳ等が張設されている。
【００３２】
ここで、例えば図１において中央に位置するパネルユニット１２Ａには、その両側端部に位置する鉛直フレーム１３Ａに沿ってガイドレール（連結手段）２１が備えられている。図３に示すように、ガイドレール２１は、平断面視Ｃ字状をなした鋼製のチャンネル材等からなり、これには、水平方向に延出する取付部材２２，２２，…の一端が上下方向所定間隔ごとに一体に設けられている。そして、各取付部材２２の他端には、単管パイプ用のクランプ金具Ｃが一体に取り付けられており、前記ガイドレール２１は、これらのクランプ金具Ｃを介して鉛直フレーム１３Ａに取り付けられている。
ここでは、図１に示したように、ガイドレール２１は各鉛直フレーム１３Ａの上部と下部にそれぞれ設けられている。
【００３３】
そして、上記ガイドレール２１を備えたパネルユニット１２Ａに隣接するパネルユニット１２Ｂには、その両側端部（図１には一方の側端部のみを図示してある）に位置する鉛直フレーム１３Ａに沿ってスライド部材（連結手段）２４が備えられている。
図４に示すように、スライド部材２４は、例えば平断面視矩形で、前記ガイドレール２１の内側に収められた状態で、その長さはガイドレール２１よりも十分に短く、かつその断面方向の外径寸法はガイドレール２１の内周面と所定のクリアランスが形成されるよう設定されている。これによりスライド部材２４は、ガイドレール２１の内側においてこれに沿って上下方向に相対移動可能となっている。そして、スライド部材２４には、水平方向に延出する取付部材２５の一端が一体に設けられ、その他端には単管パイプ用のクランプ金具Ｃが一体に取り付けられている。スライド部材２４は、取付部材２５とクランプ金具Ｃとを介して鉛直フレーム１３Ａに取り付けられている。図１に示したように、このスライド部材２４は、各鉛直フレーム１３Ａに上下方向所定間隔毎に複数設けられている。これにより、スライド部材２４は、ガイドレール２１に対し、その内側に収められた状態で上下方向に相対移動自在とされた構成となっている。
【００３４】
このようにして、養生体本体１１を構成するため互いに隣接するパネルユニット１２Ａ，１２Ｂは、一方のパネルユニット１２Ａに設けられたガイドレール２１と、他方のパネルユニット１２Ｂに設けられたスライド部材２４とによって、上下方向に相対移動可能に連結されている。そして、例えばパネルユニット１２Ａが上下動するときには、パネルユニット１２Ａの両側のガイドレール２１が、それぞれ隣接するパネルユニット１２Ｂのスライド部材２４によってガイドされ、これによりこのパネルユニット１２Ａはその両側端部がガイドされた状態で上下動することとなる。逆に、パネルユニット１２Ｂが上下動するときには、両側のスライド部材２４がこれに隣接するパネルユニット１２Ａのガイドレール２１にガイドされ、パネルユニット１２Ｂはその両側端部がガイドされた状態で上下動することとなる。
【００３５】
また、図５に示すように、パネルユニット１２の所定位置には、このパネルユニット１２を建物Ｂに支持させるための支持部材３０が備えられている。支持部材３０は、鉛直方向に延在する基部３０ａと、この基部３０ａから水平方向に延出する延出部３０ｂと、延出部３０ｂを補強する補強材３０ｃとからなる略Ｌ字状で、その一端部側の基部３０ａが鉛直フレーム１３にジョイント金物Ｄを介して水平面内で回転自在に連結されている。これにより、支持部材３０は、水平方向に延出する延出部３０ｂが水平面内で回転自在となり、パネルユニット１２に対して折り畳み可能な構成となっている。
【００３６】
支持部材３０の延出部３０ｂの先端部には、各パネルユニット１２を建物Ｂに支持させるため、建物Ｂのバルコニー４の先端部に形成されて上方に立ち上がる立ち上がり部３１に着脱自在に固定される固定用金物３２が設けられている。図５および図６に示すように、固定用金物３２は、ウェブとその両端部のフランジとからなるＨ型鋼を利用したフレーム３３に、上部支圧部材（上部当接部材）３４，側部支圧部材（側部当接部材）３５，ジャッキ部材（締付部材）３６が備えられた構成からなっている。
【００３７】
図６に示したように、上部支圧部材３４は、立ち上がり部３１の上面に沿って位置するフレーム３３の水平部３３ａ（ウェブの部分）に設けられている。また、側部支圧部材３５は、立ち上がり部３１の外側面に沿って位置するフレーム３３の鉛直部３３ｂ（一方のフランジの部分）に設けられている。そして、これら上部支圧部材３４，側部支圧部材３５は、例えば矩形で板状の支圧プレート３４ａ，３５ａと、その両端部に一体に形成された支持部３４ｂ，３４ｂ、３５ｂ，３５ｂからなり、支持部３４ｂ，３４ｂ、３５ｂ，３５ｂには、それぞれ所定の位置に所定寸法の内径を有した支持孔３７が形成されている。
【００３８】
一方、フレーム３３の水平部３３ａと鉛直部３３ｂには、それぞれ、所定位置に軸状の取付部材３８が一体に溶接されている。この取付部材３８の両端部には、それぞれ図示しないネジ孔にボルト３９がねじ込まれ、その頭部がフレーム３３から突出するようになっている。このボルト３９の頭部は、その外径が前記支持孔３７よりも所定寸法小さく設定されている。
【００３９】
そして、上部支圧部材３４，側部支圧部材３５は、その両側の支持部３４ｂ，３４ｂ、３５ｂ，３５ｂの支持孔３７，３７が、フレーム３３に固定されたボルト３９，３９の頭部に係止されることにより、フレーム３３に取り付けられた構成となっている。このとき、支持孔３７よりもボルト３９の頭部が小径であるので、上部支圧部材３４，側部支圧部材３５は、それぞれボルト３９の軸線回りに揺動自在となっており、その結果、立ち上がり部３１の上面および外側面に当接することとなる支圧プレート３４ａ，３５ａの向きが変更可能となっている。
【００４０】
また、前記ジャッキ部材３６は、フレーム３３の鉛直部３３ｃ（他方のフランジの部分）に、側部支圧部材３５と相対向するよう設けられている。ジャッキ部材３６は、フレーム３３の鉛直部３３ｃに一体に溶接されたナット３６ａと、このナット３６ａに螺合したジャッキボルト３６ｂと、このジャッキボルト３６ｂの先端部にボールジョイント（図示なし）を介して揺動可能に設けられた支圧プレート３６ｃとから構成されている。ジャッキボルト３６ｂは、その基端部側を工具で回転させることによって、その軸線方向、すなわち側部支圧部材３５に向けて進退移動するようになっている。
【００４１】
図５に示したように、このような固定用金物３２は、上部支圧部材３４を建物Ｂのバルコニー４の立ち上がり部３１の上面に当接させ、側部支圧部材３５を立ち上がり部３１の一側面に当接させた状態で、ジャッキ部材３６のジャッキボルト３６ｂをねじ込み、先端部の支圧プレート３６ｃを立ち上がり部３１の他側面に押し付けることによって、立ち上がり部３１に固定されるようになっている。このとき、上部支圧部材３４と側部支圧部材３５は、それぞれフレーム３３に揺動自在に設けられ、またジャッキ部材３６の支圧プレート３６ｃもジャッキボルト３６ｂに揺動自在に設けられている。したがって、立ち上がり部３１の上面，側面が水平面，鉛直面に対して傾斜していても、上部支圧部材３４，側部支圧部材３５，支圧プレート３６ｃが立ち上がり部３１の上面，側面に倣って揺動し、確実に当接するようになっている。しかも、上部支圧部材３４の支圧プレート３４ａ，側部支圧部材３５の支圧プレート３５ａ，支圧プレート３６ｃは、それぞれ立ち上がり部３１に当接する側が平面をなしているので、立ち上がり部３１に対して面接触するようになっている。
【００４２】
この構成からなる固定用金物３２は、鉄骨クランプ４０，４０を介して支持部材３０の延出部３０ｂに沿って移動可能に取り付けられており、これにより固定用金物３２を延出部３０ｂの任意の位置に固定できるようになっている。
【００４３】
次に、このような構成からなる仮設養生体１０を上方に盛り替えるための盛替装置について説明する。
図２に示したように、盛替装置（盛替手段）４５は、下面に車輪４６，４６，…を備えて走行移動自在な台車４７と、この台車４７の一端部に備えられた固定用ジャッキ４８と、台車４７の一端部から水平方向に延出するアーム４９と、アーム４９の先端部に備えられたホイスト機構５０とから構成されている。ホイスト機構５０は、先端にフック５１を備えたワイヤー５２と、このワイヤー５２を巻き取り・繰り出しするウインチ５３とから構成されている。なお、この盛替装置４５は、モータ等の駆動機構５４で車輪４６を回転駆動させることによって、施工中の建物Ｂの各階の床面上で自走可能となっている。
【００４４】
続いて、上記構成からなる仮設養生体１０を用いた建物Ｂの施工方法について説明する。
建物Ｂを施工しているときには、仮設養生体１０は少なくとも施工階の外周を覆うよう設置する。これには、養生体本体１１を構成する複数枚のパネルユニット１２を、それぞれ、各支持部材３０を建物Ｂに向けて伸ばし、その先端部の固定用金物３２をバルコニー４の立ち上がり部３１に固定する。すると、各パネルユニット１２は、それぞれそれ自体が建物Ｂに固定された状態となる。さらに、図１に示したように、互いに隣接するパネルユニット１２，１２どうしは、ガイドレール２１とスライド部材２４とによって互いに連結された状態となる。そして、各パネルユニット１２の外周面に養生シートＳ等を張設することにより、建物Ｂの施工階は、その外周が全周にわたって養生されることとなる。
【００４５】
そして、施工の進捗に伴い、仮設養生体１０を上方に盛り替えるときには、基本的に、仮設養生体１０の養生体本体１１を構成する複数枚のパネルユニット１２を、一枚ずつ盛り替えるようにする。これには、まず、図２に示したように、盛替装置４５を建物Ｂの外周面側に移動させ、盛り替えるべきパネルユニット１２に対向させ、固定用ジャッキ４８を伸ばして固定する。次いで、アーム４９の先端部を、バルコニー４の立ち上がり部３１よりも外側で、かつパネルユニット１２よりも内側となるよう位置させ、ホイスト機構５０のワイヤー５２を伸ばしてフック５１を下げ、このフック５１をパネルユニット１２の所定位置に係止させる。
【００４６】
次いで、図５に示した各支持部材３０の先端部の固定用金物３２において、ジャッキ部材３６のジャッキボルト３６ｂを緩め、バルコニー４の立ち上がり部３１への固定を解除する。
【００４７】
続いて、盛替装置４５のホイスト機構５０のウインチ５３を作動させてワイヤー５２を巻き取り、これによってフック５１が係止されたパネルユニット１２を上昇させる。このとき、図１に示したように、このパネルユニット１２は、ガイドレール２１とスライド部材２４とがスライド自在に連結されているので、隣接する両側のパネルユニット１２にガイドされた状態で上昇することとなる。
【００４８】
そして、図７に示すように、固定用金物３２がバルコニー４の立ち上がり部３１から外れ、その上方に位置した状態で、ウインチ５３の作動を一旦停止させる。この状態で各支持部材３０を水平方向に９０°回転させてパネルユニット１２側に折り畳むことによりパネルユニット１２に沿わせた状態とする。
【００４９】
この後、ウインチ５３を再作動させ、パネルユニット１２を、盛り替えるべき所定の位置よりも若干上方の位置まで上昇させる。そして、ウインチ５３を停止させた後、各支持部材３０を広げ、建物Ｂ側に向けて突出させた状態とする。この状態で、ウインチ５３を作動させて、今度はワイヤー５２を繰り出してパネルユニット１２を下降させる。そして、図８に示すように、各支持部材３０の先端部の固定用金物３２が上階のバルコニー４の立ち上がり部３１にはまり込み、図６に示した上部支圧部材３４の支圧プレート３４ａが立ち上がり部３１の上面に当接した時点で、ウインチ５３の作動を停止させる。次いで、ジャッキ部材３６のジャッキボルト３６ｂを締め付け、固定用金物３２を立ち上がり部３１に確実に固定する。
【００５０】
そして、盛替装置４５のホイスト機構５０のフック５１をこのパネルユニット１２から取り外し、ワイヤー５２を巻き取ることによって、このパネルユニット１２の盛替作業が完了する。
【００５１】
しかる後には、上記と同様にしてパネルユニット１２を一枚ずつ順次上方に盛り替えていき、総てのパネルユニット１２の盛替が完了した時点で、盛替装置４５をクレーン等で上階に盛り替える。これにより、仮設養生体１０の盛替作業が完了したこととなる。この後は、新たな施工階の施工と、仮設養生体１０の盛替とを交互に繰り返していくことにより、建物Ｂを最上階まで構築していく。
【００５２】
上述した仮設養生体１０および建物Ｂの施工方法では、仮設養生体１０が、複数枚のパネルユニット１２からなる養生体本体１１と、この養生体本体１１を建物Ｂに支持させるため折り畳み可能とされた支持部材３０と、養生体本体１１を盛り替えるため建物Ｂ上において自走可能とされた盛替装置４５とを備えてなる構成となっている。そして、このような仮設養生体１０を施工中の建物Ｂに設け、施工の進捗にともなって仮設養生体１０を盛り替えるときには、盛替装置４５でパネルユニット１２を一枚ずつ吊り上げて盛り替える構成となっている。
このようにして、パネルユニット１２を一枚ずつ上方に盛り替えることによって、盛替作業を効率良く行うことができる。したがって、工事全体の短工期化と低コスト化に貢献することができる。また、横風等の影響も最小限に抑えることができるので、工期の長期化を防止するとともに作業安全性を確保することができる。また、このように簡易な構成からなる仮設養生体１０は、特に中小規模のビル等にも好適に用いることが可能である。
【００５３】
また、各パネルユニット１２が、足場用パイプ等の仮設材Ｋによって形成された構成となっている。
これにより、各パネルユニット１２を非常に安価で製作することができ、これによっても低コスト化への貢献が可能である。さらに、パネルユニット１２を軽量なものとすることができるので、盛替作業を容易に行うことができ、これを持ち上げるための機器も、クレーン等の大掛かりなものでなく、簡易な盛替装置４５で可能である。したがって、本来資材搬送用のものであるクレーン等の占有を回避し、工事全体を効率良く行うことができる。また、仮設材Ｋを用いることにより、パネルユニット１２の大きさを自由に設定することが容易であり、したがって、建物Ｂの大きさや形状等に応じて容易に対応することができるので、この仮設養生体１０を他の現場にも転用することが可能であり、より一層コストパフォーマンスに優れたものとすることができる。
【００５４】
さらに、複数枚のパネルユニット１２が互いに隣接する部分には、一方のパネルユニット１２の側端部にガイドレール２１が設けられ、他方のパネルユニット１２の側端部にスライド部材２４が設けられた構成となっている。
これにより、互いに隣接するパネルユニット１２，１２は、上下方向に相対移動可能に連結された構成となり、各パネルユニット１２を上方に盛り替えるときには、その両側端部を隣接するパネルユニット１２，１２でガイドすることができる。したがって、各パネルユニット１２を安定した状態で確実に盛り替えることができ、強風等による影響を最小限に抑え、工期の長期化を抑えるとともに作業安全性を確保することができる。しかも、このようなガイドレール２１やスライド部材２４は、建物Ｂ側に取り付ける必要がないことから、余計な手間を省くことができる。
【００５５】
加えて、支持部材３０が水平方向に回転自在とされて折り畳み可能となっているので、パネルユニット１２の吊り上げ時に支持部材３０がバルコニー４などの突起物と干渉することもなく、吊り上げ作業を容易に行うことができる。しかも、この支持部材３０の先端部には固定用金物３２が備えられて、支持部材３０の先端部が建物Ｂに着脱自在に固定できる構成となっている。したがって、建物Ｂ側には、仮設養生体１０を固定するためのアンカー部材やブラケット等を一切取り付ける必要がなく、仮設養生体１０の建物Ｂへの固定を容易に行うことができ、この点においても作業の効率化を図ることができる。
【００５６】
しかも、固定用金物３２は、フレーム３３に、上部支圧部材３４と、側部支圧部材３５と、ジャッキ部材３６とが設けられた構成とされて、上部支圧部材３４と側部支圧部材３５とがフレーム３３に揺動自在に取り付けられた構成となっている。
これにより、ジャッキ部材３６のジャッキボルト３６ｂを操作するのみで、固定用金物３２を建物Ｂのバルコニー４の立ち上がり部３１に容易に固定することができる。また、上部支圧部材３４と側部支圧部材３５とがフレーム３３に揺動自在に取り付けられているので、立ち上がり部３１の表面が水平面や鉛直面でない場合にも、上部支圧部材３４と側部支圧部材３５とを立ち上がり部３１の表面に確実に当接させることができ、固定用金物３２を確実に固定することができる。しかも、上部支圧部材３４の支圧プレート３４ａ，側部支圧部材３５の支圧プレート３５ａ，ジャッキ部材３６の支圧プレート３６ｃが立ち上がり部３１に面接触する構成となっているので、立ち上がり部３１にタイル等が貼着されている場合にも、これを破損したり傷を付けたりするのを防止することができる。
【００５７】
さらに、この固定用金物３２は、鉄骨クランプ４０，４０を介して支持部材３０の延出部３０ｂに取り付けられており、延出部３０ｂの長さ方向の任意の位置に固定できるようになっている。これによりこの仮設養生体１０を他の現場に転用するとき等には、固定用金物３２の位置を変更することによって、仮設養生体１０と建物Ｂとの位置が変わる場合にも対応が可能となっている。
【００５８】
また、仮設養生体１０には、養生体本体１１を上方に盛り替えていくための専用の盛替装置４５が備えられている。これにより、仮設養生体１０自体にマスト等のクライミング手段を備える必要がなく、仮設養生体１０全体を軽量かつ簡易な構成とすることができ、短工期化および低コスト化に貢献できる。また資材搬送用のクレーン等を利用する必要もないので、機器使用の効率化を図ることができる。さらに、複数枚のパネルユニット１２から構成される養生体本体１１を盛り替えるときには、この盛替装置４５を移動させることによって、最小限の台数の盛替装置４５でパネルユニット１２、すなわち養生体本体１１の盛替作業を行うことができ、より一層の作業の効率化およびそれによる低コスト化を図ることができる。
【００５９】
なお、上記実施の形態においてあげた構成は、本願発明の主旨を逸脱しない限り、他の構成に変更可能である。すなわち、例えば各パネルユニット１２の構造や使用材料等は適宜の仮設材を用いれば良く、仮設養生体１０の規模によっては、パネルユニット１２を単管パイプではなく枠組み足場を用いて構成してもよい。
【００６０】
また、支持部材３０の形状や使用材料についても、同様に何ら限定するものではない。例えば、図９に示すように、支持部材３０’を、鉛直方向に延在する基部３０ａ’と、この基部３０ａ’の下端部から水平方向に延出する延出部３０ｂ’と、延出部３０ｂ’を補強するため基部３０ａ’の上端部と延出部３０ｂ’の先端部との間に斜めに架設された補強材３０ｃ’とからなる構成のものとしても良い。このような支持部材３０’によれば、上記実施の形態で示した支持部材３０（図５参照）よりも強度が大幅に高められ、これによって仮設養生体１０を建物Ｂから離す必要がある場合等に好適に用いることができる。
【００６１】
但し、固定用金物については、以上で説明した参考例としての固定用金物３２に代えて、図９に示す固定用金物３２’を採用する。この固定用金物３２’は、上部支圧部材３４（図６参照）に代えて、押さえボルト６０が備えられたものである。押さえボルト６０は、ジャッキ部材３６と同様の構造で、フレーム３３に一体に溶接されたナット６０ａと、このナット６０ａに螺合したボルト部材６０ｂと、ボルト部材６０ｂの先端部に揺動可能に設けられた支圧プレート６０ｃとから構成されている。このような押さえボルト６０を備えた固定用金物３２’では、各階のバルコニー４の立ち上がり部３１のレベル誤差等がある場合にも、立ち上がり部３１のレベルに応じて押さえボルト６０を調整することによって、固定用金物３２’を確実にセットすることができる。
【００６２】
加えて、上記実施の形態では固定用金物３２をバルコニー４の立ち上がり部３１に固定する構成としたが、もちろん他の部分に固定しても良い。
さらに、上部支圧部材３４，側部支圧部材３５は、固定用金物３２を取り付ける立ち上がり部３１の形状によっては、いずれか一方のみを揺動可能とする構成としても良い。
【００６３】
同様に、盛替装置４５の構成についても、建物Ｂの施工階において移動可能であればその構成を何ら問うものではない。
【００６４】
また、例えば建物Ｂの床のコンクリート強度が不十分である場合等には、盛替装置４５に代えて図１０に示すような盛替手段を採用しても良い。これは、固定用金物３２のフレーム３３に支柱フレーム６５を一体に設けておき、これをバルコニー４の立ち上がり部３１に取り付ける。そして、この支柱フレーム６５に係止金具６６を用いて盛替手段としてのホイスト機構５０のウインチ５３を取り付け、各パネルユニット１２の鉛直フレーム１３には掛止ワイヤー６７を用いてフック５１を係止させる。また、ワイヤー５２の途中には、滑車６８，６９をセットする。このとき、滑車６９は、固定用金物３２に取り付けられた金具７０に取り付けるようにする。このように、固定用金物３２とパネルユニット１２との間に盛替手段としてのホイスト機構５０をセットすることによっても各パネルユニット１２の盛替作業を行うことが可能である。
【００６５】
もちろん、仮設養生体１０の規模やクレーンの使用状況等によっては、各パネルユニット１２をクレーン等、他の盛替手段で盛り替えるようにしても良い。
【００６６】
これ以外にも、本発明の主旨を逸脱しない範囲内であれば、いかなる構成を採用しても良く、また上記したような構成、すなわち、パネルユニット１２，支持部材３０，固定用金物３２，盛替装置４５等の構成を適宜選択的に組み合わせて用いる構成としても良いのは言うまでもない。
【００６７】
【発明の効果】
以上説明したように、請求項１に係る仮設養生体によれば、仮設養生体は、養生体本体と、これを建物に支持させる支持部材とを具備してなり、養生体本体が複数枚のパネルユニットを組み合わせることによって構成された構成となっている。このように仮設養生体のユニット化を図ることにより、仮設養生体の盛替時にはパネルユニットを一枚ずつ盛り替えればよく、盛替作業を効率良く行うことができる。したがって、工事全体の短工期化と低コスト化に貢献することができる。また、このように簡易な構成からなる仮設養生体は、特に中小規模のビル等にも好適に用いることが可能である。
【００６８】
また、各パネルユニットが、足場用パイプ等の仮設材によって形成された構成となっている。このようにして仮設材を用いることにより、パネルユニットの大きさを自由に設定することが容易であり、したがって、建物の大きさや形状等に応じて容易に対応することができる。また、各パネルユニットを非常に安価で製作することができ、これによっても低コスト化への貢献が可能である。さらに、パネルユニットを軽量なものとすることもできるので、盛替作業を容易に行うことができ、これを持ち上げるための機器も、クレーン等の大掛かりなものでなく、ホイスト等の簡易な機器で可能である。したがって、クレーン等の占有を回避し、工事全体を効率良く行うことができる。
【００６９】
また、複数枚のパネルユニットが互いに隣接する部分には、一方のパネルユニットの側端部にガイドレールが設けられ、他方のパネルユニットの側端部にスライド部材が設けられることによって、これら二枚のパネルユニットが上下方向に相対移動可能に連結された構成となっている。これにより、各パネルユニットを上方に盛り替えるときには、その両側端部が隣接するパネルユニットにガイドされることとなる。したがって、各パネルユニットを安定した状態で確実に盛り替えることができ、強風等による影響を最小限に抑え、工期の長期化を抑えるとともに作業安全性を確保することができる。しかも、このようなガイドレールやスライド部材は、建物側に取り付ける必要がないことから、余計な手間を省くことができる。
【００７０】
また、仮設養生体は、養生体本体と支持部材とを具備し、支持部材は、水平面内において回転自在な状態で一端側が養生体本体に折り畳み可能に連結され、他端側が建物に着脱自在に固定される構成となっている。これにより、養生体本体を上方に盛り替えるときには、支持部材を水平回転させて折り畳むことにより、建物側の突起物等との干渉を避けることができ、盛替作業を容易に行うことができる。また、養生体本体を建物に支持させるときに、建物側にアンカー部材等を取り付ける必要がなく、建物への固定を容易に行うことができ、この点においても作業の効率化を図ることができる。
【００７１】
さらに、仮設養生体の養生体本体を建物に支持させるための支持部材には固定用金物が備えられているので、養生体本体を立ち上がり部に対して支持部材および固定用金物を介して安定に支持固定することができる。
しかも、固定用金物は立ち上がり部の上面および両側面に沿って位置するフレームに、押さえボルトと側部当接部材と締付部材とが設けられた構成とされ、側部当接部材がフレームに揺動自在に取り付けられ、押さえボルトがフレームに一体に溶接されたナットと、このナットに螺合したボルト部材と、ボルト部材の先端部に揺動可能に設けられた支圧プレートとから構成されている。
このような固定金物によれば、各階の立ち上がり部のレベル誤差等がある場合にも、立ち上がり部のレベルに応じて押さえボルトを調整することによって、固定用金物を確実にセットすることができる。
【００７２】
請求項２に係る仮設養生体によれば、仮設養生体の養生体本体を上方に盛り替えていくための盛替手段として、建物上で水平移動自在な台車のアームに、仮設養生体を吊り上げるホイスト機構を備える構成となっている。これにより、仮設養生体自体に盛替手段を備える必要がなく、仮設養生体自体を軽量かつ簡易な構成とすることができ、短工期化および低コスト化に貢献できる。また資材搬送用のクレーン等を利用する必要もないので、機器使用の効率化を図ることができる。さらに、例えば養生体本体が複数枚のパネルユニットから構成される場合等には、このような台車を移動させることによって対応が可能であるので、最小限の台数の盛替手段で養生体本体の盛替作業を効率良く行うことが可能である。
請求項３に係る発明によれば、盛替手段が固定用金物と前記パネルユニットとの間に介装されて該パネルユニットを吊り上げるホイスト機構により構成されているので、このような盛替手段によっても各パネルユニットの盛替作業を行うことが可能である。
請求項４に係る発明によれば、支持部材が、鉛直方向に延在して前記パネルユニットの鉛直フレームに対して水平面内において回転自在に連結された基部と、該基部から水平方向に延出する延出部と、該延出部を補強する補強材とからなる略Ｌ字状とされているので、支持部材を簡単な構成でパネルユニットに対して水平面内において回転させて折り畳むことができる。
請求項５に係る発明によれば、支持部材が、鉛直方向に延在して前記パネルユニットの鉛直フレームに対して水平面内において回転自在に連結された基部と、該基部の下端部から水平方向に延出する延出部と、前記基部の上端部と前記延出部の先端部との間に斜めに架設されて延出部を補強する補強材とからなる三角形状とされているので、支持部材の強度を大幅に高めて仮設養生体を建物から離す必要がある場合等に好適に用いることができる。
【００７３】
請求項６に係る建物の施工方法によれば、仮設養生体の内側で建物を構築していき、養生体本体を上方に盛り替えるときには、盛替手段でパネルユニットの荷重を支持した後に、支持部材を水平面内において回転させて養生体本端側に折り畳み、次いで盛替手段でパネルユニットを上方に吊り上げ、しかる後に支持部材を伸ばしてパネルユニットを建物に支持させることによって、パネルユニットを一枚ずつ上方に盛り替えていく構成となっている。
このようにして、パネルユニットを一枚ずつ上方に盛り替えることによって、盛替作業を効率良く行うことができる。したがって、工事全体の短工期化と低コスト化に貢献することができる。また、横風等の影響も最小限に抑えることができるので、工期の長期化を防止するとともに作業安全性を確保することができる。また、盛替手段も小型のもので済むので、この点においても作業を効率良く行うことができる。さらに、支持部材を水平面内において回転させて折り畳むことによって、パネルユニットの盛替時に建物側の突起物等との干渉を避けることができ、作業を容易に行うことができる。
【図面の簡単な説明】
【図１】  本発明に係る仮設養生体の一例を示す図であって、仮設養生体を建物に取り付けた状態を示す立面図である。
【図２】  同仮設養生体を建物に取り付けた状態を示す側断面図である。
【図３】  同仮設養生体に備えたガイドレールを示す立面図および平断面図である。
【図４】  同仮設養生体に備えたスライド部材を示す立面図および平断面図である。
【図５】  同仮設養生体の建物への固定構造を示す側断面図である。
【図６】  同仮設養生体の固定に用いる固定用金物を示す立面図および下面図である。
【図７】  同仮設養生体の盛替方法を示す工程図であって、仮設養生体を持ち上げて建物から取り外した状態を示す図である。
【図８】  同、仮設養生体を上階に盛り替えた状態を示す図である。
【図９】  本発明に係る仮設養生体の他の一例を示す図であって、仮設養生体の建物への他の固定構造を示す側断面図である。
【図１０】  同、仮設養生体の他の盛替方法を示す側断面図である。
【図１１】  従来の仮設養生体の盛り替え方法の一例を示す工程図である。
【符号の説明】
１０  仮設養生体
１１  養生体本体
１２  パネルユニット
１３  鉛直フレーム
２１  ガイドレール（連結手段）
２４  スライド部材（連結手段）
３０、３０’  支持部材
３０ａ、３０ａ’  基部
３０ｂ、３０ｂ’  延出部
３０ｃ、３０ｃ’  補強材
３２、３２’  固定用金物
３３  フレーム
３４  上部支圧部材（上部当接部材）
３５  側部支圧部材（側部当接部材）
３６  ジャッキ部材（締付部材）
４５  盛替装置（盛替手段）
４７  台車
４９  アーム
５０  ホイスト機構（盛替手段）
６０  押さえボルト
６０ａ  ナット
６０ｂ  ボルト部材
６０ｃ  支圧プレート
Ｂ  建物
Ｋ  仮設材
【図１】
0003887479.tif 000002
【図２】
0003887479.tif 000003
【図３】
0003887479.tif 000004
【図４】
0003887479.tif 000005
【図５】
0003887479.tif 000006
【図６】
0003887479.tif 000007
【図７】
0003887479.tif 000008
【図８】
0003887479.tif 000009
【図９】
0003887479.tif 000010
【図１０】
0003887479.tif 000011
【図１１】
0003887479.tif 000012